(57)【要約】【課題】トップシンバルの下降時における無用な騒音を低減するとともに、アコースティックハイハットの操作感に近い操作感を得ることができる電子ハイハットを提供する。【解決手段】電子ハイハット１００は、演奏者の足踏み操作により上下動する上下動ロッド１１１にトップシンバル１０１および反射体ホルダ１２０を備えている。また、電子ハイハット１００は、上下動ロッド１１１を支持する固定ロッド１１２にトップシンバル１０１に対向した状態でボトム台座１３０を備えている。反射体ホルダ１２０の下面である保持部１２０ｂには、反射体１２１が設けられている。また、ボトム台座１３０は、反射体１２１に対向する位置に光センサ１３２を支持する固定支持体１３１を備えている。【選択図】  図２
2018124364.tif 000002
【特許請求の範囲】
【請求項１】
演奏者によって叩かれる打面を構成するトップシンバルと、
棒状に形成されて前記演奏者による操作に応じて上下動することにより前記トップシンバルを上下動可能に支持する上下動ロッドと、
前記トップシンバルに対して下方の位置に上下方向に不動状態で設けられた固定支持体とを備えた電子ハイハットであって、
前記固定支持体および同固定支持体より前記トップシンバル側の前記上下動ロッドのうちの一方に設けられて他方に向けて光を照射する発光部および受光した光を光電変換する光電変換部をそれぞれ有した光センサと、
前記固定支持体および同固定支持体より前記トップシンバル側の前記上下動ロッドのうちの前記他方に設けられて前記光センサから照射された前記光を同光センサ側に反射する反射体とを備えることを特徴とする電子ハイハット。
【請求項２】
請求項１に記載した電子ハイハットにおいて、
前記光センサは、
前記固定支持体に設けられており、
前記反射体は、
前記上下動ロッドに設けられていることを特徴とする電子ハイハット。
【請求項３】
請求項２に記載した電子ハイハットにおいて、
前記上下動ロッドは、
前記反射体または同反射体を支持する反射体ホルダを介して前記トップシンバルを支持することを特徴とする電子ハイハット。
【請求項４】
請求項１ないし請求項３のうちのいずれか１つに記載した電子ハイハットにおいて、
前記反射体は、
前記上下動ロッドの周囲にリング状に形成されていることを特徴とする電子ハイハット。
【請求項５】
請求項１ないし請求項４のうちのいずれか１つに記載した電子ハイハットにおいて、さらに、
前記光センサの周囲に壁状に起立して囲む筒壁部を備え、
前記筒壁部は、
前記光センサに対して上下方向に相対変位する前記反射体の変位範囲のうちの少なくとも一部を覆う高さに形成されていることを特徴とする電子ハイハット。
【請求項６】
請求項１ないし請求項５のうちのいずれか１つに記載した電子ハイハットにおいて、さらに、
前記トップシンバルに対して下方に設けられて、下降する前記トップシンバルが突き当たるボトム台座を備え、
前記固定支持体は、
前記ボトム台座に設けられていることを特徴とする電子ハイハット。
【請求項７】
請求項６に記載した電子ハイハットにおいて、さらに、
前記ボトム台座を支持する固定ロッドを備え、
前記上下動ロッドは、
前記トップシンバルを回転可能に支持しており、
前記固定ロッドは、
前記ボトム台座を回転可能に支持していることを特徴とする電子ハイハット。
【発明の詳細な説明】
【技術分野】
【０００１】
本発明は、電子回路を用いてアコースティックのハイハットを電子的に実現した電子ハイハットに関する。
【背景技術】
【０００２】
従来から、電子回路を用いてアコースティックのハイハットを電子的に実現した電子ハイハットがある。例えば、下記特許文献１には、ハイハットにおける上側のシンバルであるトップシンバルの下方にハイハットにおける下側のシンバルであるボトムシンバルに代えてトップシンバルの下降を検出する変位検出装置を備えた電子ハイハットが開示されている。この場合、変位検出装置は、演奏者のペダル操作によってトップシンバルとともに一体的に下降する回転抑制部が変位検出装置の上端部を構成する上側アクチュエータに衝突した後、この上側アクチュエータがコイルバネの弾性力に抗しながら押し下げられることによってトップシンバルの下降を検出している。
【先行技術文献】
【特許文献】
【０００３】
【特許文献１】特開２００６−２００９６５号公報
【０００４】
しかしながら、上記特許文献１に記載された電子ハイハットにおいては、トップシンバルが変位検出装置に衝突する衝突音が発生するとともに、トップシンバルが変位検出装置に衝突する前、衝突時および衝突の後でペダル操作の感覚が異なりアコースティックハイハットの操作感とは異なるという問題があった。
【０００５】
本発明は上記問題に対処するためなされたもので、その目的は、トップシンバルの下降時における無用な騒音を低減するとともに、アコースティックハイハットの操作感に近い操作感を得ることができる電子ハイハットを提供することにある。
【発明の概要】
【０００６】
上記目的を達成するため、本発明の特徴は、演奏者によって叩かれる打面を構成するトップシンバルと、棒状に形成されて演奏者による操作に応じて上下動することによりトップシンバルを上下動可能に支持する上下動ロッドと、トップシンバルに対して下方の位置に上下方向に不動状態で設けられた固定支持体とを備えた電子ハイハットであって、固定支持体および同固定支持体よりトップシンバル側の上下動ロッドのうちの一方に設けられて他方に向けて光を照射する発光部および受光した光を光電変換する光電変換部をそれぞれ有した光センサと、固定支持体および同固定支持体よりトップシンバル側の上下動ロッドのうちの前記他方に設けられて光センサから照射された光を同光センサ側に反射する反射体とを備えることにある。
【０００７】
このように構成した本発明の特徴によれば、電子ハイハットは、演奏者の操作によって上下動する上下動ロッドおよび上下動ロッドに対して上下方向に不動状態で設けられた固定支持体のうちの一方に光センサを設けるとともに他方に光センサが発した光を反射させる反射板を設けてトップシンバルの上下動を光学的に検出しているため、トップシンバルの下降時における無用な騒音を低減できるとともに、アコースティックハイハットの操作感に近い操作感を得ることができる。
【０００８】
また、本発明の他の特徴は、前記電子ハイハットにおいて、光センサは、固定支持体に設けられており、反射体は、上下動ロッドに設けられていることにある。この場合、反射体は、上下動ロッドに対して直接設けられていてもよいし、反射体を支持する反射体ホルダなどの他の部品を介して設けられていてもよい。
【０００９】
このように構成した本発明の他の特徴によれば、電子ハイハットは、光電変換を行う光センサが不動状態の固定支持体に設けられているため、光センサにおける光電変換を安定的に行なわせることができるとともに電気的な配線に対して上下動による負担を抑えることができる。
【００１０】
また、本発明の他の特徴は、前記電子ハイハットにおいて、上下動ロッドは、反射体または同反射体を支持する反射体ホルダを介してトップシンバルを支持することにある。
【００１１】
このように構成した本発明の他の特徴によれば、電子ハイハットは、反射体または同反射体を備える反射体ホルダを介してトップシンバルを支持するため、電子ハイハットの組立および解体を簡単かつ短時間に行うことができるとともに、部品点数の増加を抑えて電子ハイハットを簡単かつ小型に構成することができる。
【００１２】
また、本発明の他の特徴は、前記電子ハイハットにおいて、反射体は、上下動ロッドの周囲にリング状に形成されていることにある。
【００１３】
このように構成した本発明の他の特徴によれば、電子ハイハットは、反射体が上下動ロッドの周囲にリング状に形成されているため、この反射体に対向配置された光センサに対して周方向の位置合わせが不要になる。また、この場合、反射体は、対向配置される光センサを覆う大きさに形成しておくことで光センサに外乱光（光センサが発した光以外の光）が導かれることも防止することができる。
【００１４】
また、本発明の他の特徴は、前記電子ハイハットにおいて、さらに、光センサの周囲に壁状に起立して囲む筒壁部を備え、筒壁部は、光センサに対して上下方向に相対変位する反射体の変位範囲のうちの少なくとも一部を覆う高さに形成されていることにある。
【００１５】
このように構成した本発明の他の特徴によれば、電子ハイハットは、光センサの周囲に壁状に起立して囲む筒壁部が光センサに対して上下方向に相対変位する反射体の変位範囲のうちの少なくとも一部を覆う高さに形成されているため、光センサに外乱光が導かれることを防止できトップシンバルの位置の検出精度を向上させることができる。
【００１６】
また、本発明の他の特徴は、前記電子ハイハットにおいて、さらに、トップシンバルに対して下方に設けられて、下降するトップシンバルが突き当たるボトム台座を備え、固定支持体は、ボトム台座に設けられていることにある。
【００１７】
このように構成した本発明の他の特徴によれば、電子ハイハットは、トップシンバルに対して下方にトップシンバルが突き当たるボトム台座を有するとともに、このボトム台座に固定支持体が設けられているため、互いに相対的に接近し合う光センサと反射体との物理的な接触を防止することができる。
【００１８】
また、本発明の他の特徴は、前記電子ハイハットにおいて、さらに、ボトム台座を支持する固定ロッドを備え、上下動ロッドは、トップシンバルを回転可能に支持しており、固定ロッドは、ボトム台座を回転可能に支持していることにある。
【００１９】
このように構成した本発明の他の特徴によれば、電子ハイハットは、トップシンバルおよびボトム台座がそれぞれ回転可能に支持されているため、演奏者はアコースティックハイハットにより近い演奏感覚で演奏することができる。
【図面の簡単な説明】
【００２０】
【図１】本発明の実施形態に係る電子ハイハットの外観構成の概略を示す斜視図である。
【図２】図１に示す電子ハイハットの内部構成の概略を示す断面図である。
【図３】図１に示す電子ハイハットにおけるトップシンバルが下降状態の内部構成の概略を示す断面図である。
【発明を実施するための形態】
【００２１】
以下、本発明に係る電子ハイハットの実施形態について図面を参照しながら説明する。図１は、本発明に係る電子ハイハット１００の外観構成の概略を模式的に示した斜視図である。また、図２は、図１に示す電子ハイハット１００の内部構成の概略を示す断面図である。なお、本明細書において参照する図は、本発明の理解を容易にするために一部の構成要素を誇張して表わすなど模式的に表している。このため、各構成要素間の寸法や比率などは異なっていることがある。この電子ハイハット１００は、演奏者（図示せず）がスティック（図示せず）を介して叩いた打面の衝撃を検出して電子的な楽音を発生させる電子打楽器である。
【００２２】
（電子ハイハット１００の構成）
電子ハイハット１００は、主として、トップシンバル１０１、スタンド１１０およびボトム台座１３０を備えている。トップシンバル１０１は、演奏者による叩く操作によって振動する部品であり、アコースティックハイハットを構成する上下一対のシンバルのうちの上側に配置されたシンバルに相当する。このトップシンバル１０１は、上方に向かって凸状に湾曲するとともに平面視で円形の板状体で構成されており、ベース体１０２、叩打センサ１０４、パッド１０５および裏面カバー１０６をそれぞれ備えている。
【００２３】
ベース体１０２は、トップシンバル１０１を形作る芯材となる部品であり、金属材または樹脂材を上方に向かって凸状に湾曲するとともに平面視で円環状の板状体に形成して構成されている。このベース体１０２は、中央部に取付孔１０２ａが形成されている。取付孔１０２ａは、トップシンバル１０１を所定の高さ位置に支持するための棒状の上下動ロッド１１１が貫通する部分である。この取付孔１０２ａの図示上側の端面には、保持プレート１０３が設けられている。
【００２４】
保持プレート１０３は、ベース体１０２を上下動ロッド１１１に取り付けるための部品であり、ゴム材を平面視で円形のリング状に形成して構成されている。この保持プレート１０３は、ボルトによってベース体１０２に固定的に取り付けられている。また、ベース体１０２の裏面１０２ｂには、取付孔１０２ａの周囲に凹状に凹んだ取付部１０２ｃが形成されており、この取付部１０２ｃに叩打センサ１０４が設けられている。
【００２５】
叩打センサ１０４は、トップシンバル１０１の振動を検出する検出器であり、ベース体１０２の振動に応じた電気信号からなる検出信号を外部接続端子１０７を介して図示しない信号処理装置に出力する。本実施形態においては、叩打センサ１０４は、圧電セラミックスの両面にそれぞれ電極を配置するとともに、これらの電極の一方に金属板を配置したピエゾ素子によって構成されている。この叩打センサ１０４は、図示しない信号線を介して外部接続端子１０７に接続された状態で取付部１０２ｃに両面粘着テープによって取り付けられている。
【００２６】
ここで、信号処理装置は、電子ハイハット１００とは別体で設けられるマイクロコンピュータを備えて構成されており、叩打センサ１０４および光センサ１３２からそれぞれ出力される検出信号に基づいて楽音信号を出力する電子回路、すなわち、音源である。この場合、信号処理装置は、上下動ロッド１１１（トップシンバル１０１）の上下方向の位置に応じた楽音信号を出力する。この信号処理装置には、図示しない外部スピーカが接続されている。また、信号処理装置は、電力供給源（例えば、家庭用１００Ｖ電源）から図示しない電源コードを介して電力の供給を受けて後述する光センサ１３２にも電力を供給する。
【００２７】
パッド１０５は、演奏者がスティックなどを用いて叩く打面を構成する部分であり、ゴム材または発泡樹脂材などからなる弾性体をベース体１０２の上面および外縁部をそれぞれ覆う円環状に形成して構成されている。なお、トップシンバル１０１は、本実施形態においては、ベース体１０２およびパッド１０５の２種の材料で構成されているが、１種の材料、例えば、樹脂材料のみまたは樹脂材料を含む繊維強化プラスチックのみで構成することもできる。
【００２８】
裏面カバー１０６は、ベース体１０２の裏面１０２ｂに取り付けられて取付部１０２ｃおよびこの取付部１０２ｃに取り付けられた叩打センサ１０４をそれぞれ覆うとともに外部接続端子１０７を収納する部品であり、樹脂材を平面視で円筒状に形成して構成されている。この場合、裏面カバー１０６は、外部接続端子１０７を外部に露出させた状態で収納している。この裏面カバー１０６は、図示しない取付ボルトによってベース体１０２の裏面１０２ｂに取り付けられている。
【００２９】
外部接続端子１０７は、叩打センサ１０４から出力される検出信号を電子ハイハット１００の外部に設けられる信号処理装置に対して出力するために信号処理装置と叩打センサ１０４とを着脱自在に接続するためのジャック型のインターフェースである。
【００３０】
スタンド１１０は、トップシンバル１０１およびボトム台座１３０をそれぞれ支持するための器具であり、主として、上下動ロッド１１１、固定ロッド１１２、ペダル１１３およびベース台１１４をそれぞれ備えて構成されている。
【００３１】
上下動ロッド１１１は、トップシンバル１０１を上下方向に変位させるための部品であり、上下方向に延びる金属製の棒体で構成されている。この上下動ロッド１１１は、起立した姿勢で固定ロッド１１２を貫通して同固定ロッド１１２に支持された状態で、上端部側がクラッチ１１５を介してトップシンバル１０１を支持するとともに下端部がペダル１１３に連結されている。この場合、上下動ロッド１１１は、固定ロッド１１２内に配置される図示しないコイルスプリングによって上方に向かって弾性的に押し上げられている。これにより、上下動ロッド１１１は、演奏者によるペダル１１３の操作に応じて上下動することによりトップシンバル１０１を上下動させる。
【００３２】
固定ロッド１１２は、上下動ロッド１１１およびボトム台座１３０をそれぞれ支持する部品であり、上下方向に延びる金属製の円筒体で構成されている。この固定ロッド１１２は、ベース台１１４に起立した姿勢で支持されるとともに、上端部に形成された厚板状の支持台１１２ａ上にボトム台座１３０を支持している。
【００３３】
ペダル１１３は、演奏者（図示せず）の足による踏み込み操作によって上下動ロッド１１１を上下動させるための部品であり、金属製の板状体で構成されている。このペダル１１３は、一方の端部がベース台１１４に対して上下方向に回動自在に連結されているとともに、他方の端部が金属製のベルトを介して上下動ロッド１１１に連結されている。この場合、ペダル１１３は、図示しないコイルスプリングによって上方に押し上げられた上下動ロッド１１１によって先端部側からベース台１１４側に向かって下り傾斜の姿勢となっている。
【００３４】
ベース台１１４は、電子ハイハット１００を設置する床面上に固定ロッド１１２およびペダル１１３をそれぞれ支持する部品である。このベース台１１４は、金属製の板状体における一方の端部にペダル１１３を回動自在な状態で支持するとともに、他方の端部側に門型に起立した支持柱１１４ａによって固定ロッド１１２を支持している。
【００３５】
クラッチ１１５は、上下動ロッド１１１にトップシンバル１０１および反射体ホルダ１２０をそれぞれ一体的に連結するための部品であり、上下動ロッド１１１が貫通する金属製の円筒体で構成されている。このクラッチ１１５は、上端部側の外周面にネジ嵌合した状態で貫通するロックネジ１１５ａによって上下動ロッド１１１に固定されているとともに、下端部に反射体ホルダ１２０がネジ嵌合を介して取り付けられている。また、クラッチ１１５の上下方向中央部には、上下一対の押圧体１１６およびクラッチナット１１７がそれぞれ設けられている。
【００３６】
上下一対の押圧体１１６は、保持プレート１０３を上下方向から挟んで保持するための部品であり、それぞれフェルト材をリング状に形成して構成されている。クラッチナット１１７は、保持プレート１０３を挟んだ状態の上下一対の押圧体１１６を反射体ホルダ１２０側に押圧することで２つの押圧体１１６で保持プレート１０３を圧迫するための部品であり、クラッチ１１５の外周面にネジ嵌合する金属製のナットで構成されている。すなわち、上下動ロッド１１１は、クラッチナット１１７と反射体ホルダ１２０とで上下一対の押圧体１１６を挟むことで保持プレート１０３を挟んでトップシンバル１０１を保持している。この場合、トップシンバル１０１は、上下一対の押圧体１１６により周方向に回転自在な状態で保持されている。
【００３７】
反射体ホルダ１２０は、反射体１２１を保持するとともに上下動ロッド１１１上でトップシンバル１０１を支持するための部品であり、樹脂材を円筒形に形成して構成されている。より具体的には、反射体ホルダ１２０は、クラッチ１１５の下端部にネジ嵌合してトップシンバル１０１を支持する円筒状の胴部１２０ａと、この胴部１２０ａの下端部にフランジ状に張り出して平板リング状に形成された保持部１２０ｂとで構成されている。そして、この保持部１２０ｂには、下方に面して反射体１２１が設けられている。
【００３８】
反射体１２１は、後述する光センサ１３２から照射される光を同光センサ１３２側に反射させるための部品であり、樹脂材を平板リング状に形成して構成されている。この場合、反射体１２１の板面は、入射光を全反射させる鏡面状に形成されていてもよいが、入射光を拡散反射させるように構成するとよい。例えば、反射体１２１の板面は、平滑な面または梨地面に淡色系（例えば、白色）の色で構成するとよい。
【００３９】
また、反射体１２１は、この反射体１２１に対向配置される光センサ１３２を覆うように光センサ１３２よりも径方向外側に広がる外径に形成されている。この反射体１２１は、反射体ホルダ１２０の保持部１２０ｂに接着剤または両面テープで取り付けられている。なお、この反射体１２１は、本実施形態においては、板状に形成したがブロック状、シート状、フィルム状または膜状（例えば、塗膜）で構成されていてもよい。
【００４０】
ボトム台座１３０は、アコースティックハイハットを構成する上下一対のシンバルのうちの下側に配置されたシンバルに相当する部品であり、トップシンバル１０１の真下に設けられている。このボトム台座１３０は、固定支持体１３１および上側ケース１３５をそれぞれ備えている。固定支持体１３１は、光センサ１３２および外部接続端子１３４を収容しつつ固定ロッド１１２の支持台１１２ａに載置される樹脂製の部品であり、平板リング体における内側部分が上下動ロッド１１１が貫通する筒状に形成されるとともに外縁部が上方に立ち上った壁部を有した形状に形成されている。すなわち、固定支持体１３１は、上下動ロッド１１１の可動方向である上下方向に不動な状態でかつトップシンバル１０１の周方向と同じ方向に回転自在な状態で支持台１１２ａを介して固定ロッド１１２に支持されている。
【００４１】
光センサ１３２は、トップシンバル１０１の上下方向の位置を光学的に検出するための検出器であり、主として発光部１３２ａと受光部１３２ｂとをそれぞれ備えて構成されている。発光部１３２ａは、反射体１２１に向けて光を照射する発光素子である。本実施形態においては、発光部１３２ａは、赤外線を発光するＬＥＤによって構成されている。受光部１３２ｂは、受光した光の光量に応じた電気信号を出力する受光素子によって構成されている。本実施形態においては、受光部１３２ｂは、赤外線を受光するフォトトランジスタによって構成されている。
【００４２】
これらの発光部１３２ａおよび受光部１３２ｂは、直方体状の１つの樹脂製のハウジング内に発光素子および受光素子が露出した状態で収納されて光センサ１３２を一体的に構成している。そして、この光センサ１３２は、固定支持体１３１内に設けられた平面視で平板リング状に形成されて固定支持体１３１内に支持されたプリント基板１３３上に電気的に取り付けられている。
【００４３】
この場合、光センサ１３２は、発光部１３２ａおよび受光部１３２ｂが反射体１２１に対向する位置および向きでプリント基板１３３上に支持されている。また、光センサ１３２は、発光部１３２ａと受光部１３２ｂとが固定支持体１３１の径方向に並んで配置されている。そして、この光センサ１３２は、プリント基板１３３を介して外部接続端子１３４に電気的に接続される。
【００４４】
なお、この光センサ１３２は、発光部１３２ａと受光部１３２ｂとが固定支持体１３１の周方向に並んで配置されていてもよい。また、発光部１３２ａは、赤外線以外の波長の光、例えば、可視光を発光する光源であってもよい。また、受光部１３２ｂは、受光光量以外を検出、例えば、光の受光位置を検出してもよいし、受光部１３２ｂが発光した光を受光するまでの時間を検出するようにしてもよい。
【００４５】
外部接続端子１３４は、光センサ１３２から出力される検出信号を電子ハイハット１００の外部に設けられる信号処理装置に対して出力するとともに信号処理装置から電源の供給を受けるために信号処理装置と光センサ１３２とを着脱自在に接続するためのジャック型のインターフェースである。この外部接続端子１３４は、接続部が固定支持体１３１の壁部を貫通して外部に露出した状態で固定支持体１３１内に収納されている。
【００４６】
上側ケース１３５は、固定支持体１３１の上部を覆うとともに台座ブッシュ１３６および台座本体１３７をそれぞれ支持するための樹脂製の部品であり、主として、覆い部１３５ａと筒壁部１３５ｂとで構成されている。覆い部１３５ａは、固定支持体１３１の上部を覆う部分であり、平板リング体における内側部分が上下動ロッド１１１が貫通する筒状に形成されるとともに外縁部が下方に下垂した壁部を有した形状に形成されている。この覆い部１３５ａの天井部分には、光センサ１３２を反射体１２１に対して露出させるための貫通孔状の開口窓１３５ｃが形成されている。
【００４７】
筒壁部１３５ｂは、光センサ１３２の周囲を囲うとともに台座ブッシュ１３６および台座本体１３７をそれぞれ支持するための部分であり、上方に延びる円筒状に形成されている。この場合、筒壁部１３５ｂは、内径が反射体１２１の外径よりも大きく形成されるとともに、高さ（深さ）が反射体１２１の上下方向のストロークよりも長く形成されている。また、筒壁部１３５ｂの底部（前記覆い部の天井部の上面）には、同底部から露出する光センサ１３２を覆う樹脂製の透明な板材（図示せず）が設けられており光センサ１３２を保護している。
【００４８】
台座ブッシュ１３６は、台座本体１３７を支持するための部品であり、ゴム材をリング状に形成して構成されている。この場合、台座ブッシュ１３６は、外周面における中央部が周方向に沿って凹んで形成されており、この凹んだ部分に台座本体１３７が嵌め込まれて台座本体１３７を弾性的に支持している。この台座ブッシュ１３６は、筒壁部１３５ｂの外周部に嵌め込まれた状態で筒壁部１３５ｂの上端面に取り付けられるリング状の金属製プレートによって筒壁部１３５ｂの外周面上に固定的に取り付けられている。
【００４９】
台座本体１３７は、図３に示すように、下降するトップシンバル１０１の裏面カバー１０６を受け止めてストッパとして機能する部品であり、樹脂材を上方に向かって広がる円筒状に形成して構成されている。この台座本体１３７は、下端部が前記台座ブッシュ１３６に嵌合した状態で支持されることにより、ボトム台座１３０側に下降してきたトップシンバル１０１を弾性的に受け止める。
【００５０】
（電子ハイハット１００の作動）
次に、このように構成した電子ハイハット１００の作動について説明する。まず、演奏者は、トップシンバル１０１およびボトム台座１３０をスタンド１１０に組み付けて電子ハイハット１００を組み立てた後、外部接続端子１０７，１３４と信号処理装置とを図示しないケーブルを介して電気的に接続して電子ハイハット１００を演奏可能な状態とする。この場合、ボトム台座１３０内の光センサ１３２は、信号処理装置からの電源供給を受けて発光部１３２ａが発光するとともに受光部１３２ｂが受光量に応じた検出信号を外部接続端子１３４を介して信号処理装置に出力する。
【００５１】
次に、演奏者は、電子ハイハット１００を演奏する。具体的には、演奏者は、スティックを用いてトップシンバル１０１を叩く。これにより、叩打センサ１０４は、パッド１０５およびベース体１０２をそれぞれ介して伝搬した振動に応じた検出信号を外部接続端子１０７を介して信号処理装置に出力する。また、ボトム台座１３０に設けられた光センサ１３２は、発光部１３２ａから発して反射体１２１で反射されて受光部１３２ｂによって受光された光の受光量に応じた検出信号を外部接続端子１３４を介して信号処理装置に出力する（図２および図３において破線矢印参照）。
【００５２】
これにより、信号処理装置は、叩打センサ１０４および光センサ１３２からそれぞれ得た検出信号に基づいて楽音を表す楽音信号を生成して外部スピーカに出力する。具体的には、信号処理装置は、光センサ１３２から得た検出信号に基づいてトップシンバル１０１の上下方向の位置を特定してトップシンバル１０１がボトム台座１３０に接している否かを判定するとともに、この判定結果、すなわちトップシンバル１０１の接触状態ごとに叩打センサ１０４から得た検出信号に応じた強さおよび音色の楽音信号を生成する。例えば、信号処理装置は、トップシンバル１０１がボトム台座１３０に接していないと判定した場合には、トップシンバル１０１がボトム台座１３０に接していない場合の楽音信号を生成する。
【００５３】
一方、電子ハイハット１００の演奏時において演奏者がペダル１１３を踏み込んだ場合には、電子ハイハット１００は上下動ロッド１１１の下降を介してトップシンバル１０１が下降してボトム台座１３０の台座本体１３７に衝突する。この場合、反射体１２１は、上下動ロッド１１１に対して固定的に組付けられた反射体ホルダ１２０に設けられているため、上下動ロッド１１１の下降とともに筒壁部１３５ｂ内を光センサ１３２側に向かって下降する。また、反射体１２１は、反射体ホルダ１２０がトップシンバル１０１ではなく上下動ロッド１１１に取り付けられているため、トップシンバル１０１の叩打による振動および姿勢変化を抑えて下降することができる。
【００５４】
すなわち、反射体１２１は、演奏者によるペダル１１３の踏み込みによって姿勢を保った状態で光センサ１３２に接近する。したがって、光センサ１３２は、接近してくる反射体１２１の位置に応じた検出信号を外部接続端子１３４を介して信号処理装置に出力する。これにより、信号処理装置は、トップシンバル１０１がボトム台座１３０に接触したと判定した場合には、トップシンバル１０１がボトム台座１３０に接触した場合の楽音信号を生成する。これらの結果、電子ハイハット１００は、演奏者の演奏操作に応じた楽音を外部スピーカから出力することができる。
【００５５】
次いで、演奏者がペダル１１３の踏み込みを弱くまたは解除した場合には、電子ハイハット１００は、上下動ロッド１１１が固定ロッド１１２内に配置されたコイルスプリング（図示せず）の各弾性力によって上昇する。これにより、光センサ１３２は、筒壁部１３５ｂ内を光センサ１３２から離隔する方向に上昇する反射体１２１の位置に応じた検出信号を外部接続端子１３４を介して信号処理装置に出力する。これにより、信号処理装置は、トップシンバル１０１が上下方向の位置に応じた楽音信号を生成する。これらの結果、電子ハイハット１００は、演奏者の演奏操作に応じた楽音を外部スピーカから出力することができる。
【００５６】
次に、演奏者は、電子ハイハット１００の演奏を終える場合には、電子ハイハット１００と信号処理装置との電気的な接続を外した後、トップシンバル１０１およびボトム台座１３０をスタンド１１０から取り外す。これにより、演奏者は、電子ハイハット１００の演奏を終了することができる。
【００５７】
上記作動説明からも理解できるように、上記実施形態によれば、電子ハイハット１００は、演奏者の操作によって上下動する上下動ロッド１１１に反射板１１８を設けるとともに、上下動ロッド１１１に対して上下方向に不動状態で設けられた固定支持体１３１に光センサ１３２を設けてトップシンバル１０１の上下動を光学的に検出しているため、トップシンバル１０１の下降時における無用な騒音を低減できるとともに、アコースティックハイハットの操作感に近い操作感を得ることができる。
【００５８】
さらに、本発明の実施にあたっては、上記実施形態に限定されるものではなく、本発明の目的を逸脱しない限りにおいて種々の変更が可能である。
【００５９】
例えば、上記実施形態においては、反射体１２１を上下動ロッド１１１に設けるとともに光センサ１３２を固定支持体１３１に設けた。しかし、反射体１２１は上下動ロッド１１１および固定支持体１３１のうちの一方に設けられていればよく、光センサ１３２は上下動ロッド１１１および固定支持体１３１のうちの他方に設けられていればよい。したがって、反射体１２１を固定支持体１３１に設けるとともに光センサ１３２を上下動ロッド１１１に設けることもできる。この場合、例えば、反射体１２１は覆い部１３５ａの上面に設けるとともに、光センサ１３２を反射体ホルダ１２０の保持部１２０ｂに設けることができる。
【００６０】
また、上記実施形態においては、反射体１２１は、上下動ロッド１１１に対して反射体ホルダ１２０を介して間接的に取り付けるように構成した。しかし、反射体１２１は、上下動ロッド１１１に対して直接的に取り付けることもできる。例えば、反射体１２１は、
反射体ホルダ１２０を含む一体的な形状で構成することもできる。これによれば、電子ハイハット１００は、反射体ホルダ１２０に反射体１２１を取り付ける作業、および反射体ホルダ１２０から反射体１２１が脱落するリスクを低減することができる。
【００６１】
また、上記実施形態においては、上下動ロッド１１１は、反射体ホルダ１２０を介してトップシンバル１０１を支持するように構成した。しかし、上下動ロッド１１１は、保持プレート１０３の上下方向から２つのクラッチナット１１７で挟むことでトップシンバル１０１を支持することもできる。これによれば、反射体ホルダ１２０は、反射体１２１を支持可能な強度を有して構成することができ、反射体ホルダ１２０の構成を簡単化することができる。
【００６２】
また、上記実施形態においては、反射体１２１は、上下動ロッド１１１を中心とするリング状に形成した。これにより、反射体１２１は、光センサ１３２に対して周方向の位置
合わせが不要になる。しかし、反射体１２１は、光センサ１３２に対して対向配置されていればよいため、必ずしもリング状に形成する必要はない。したがって、例えば、反射体１２１は、三角形、四角形、五角形または六角形などの多角形のほか、円形または楕円形に形成することできる。
【００６３】
また、上記実施形態においては、電子ハイハット１００は、光センサ１３２の周囲を筒壁部１３５ｂで囲うように構成した。しかし、電子ハイハット１００は、必ずしも光センサ１３２の周囲を囲んで構成する必要はない。すなわち、電子ハイハット１００は、筒壁部１３５ｂを省略して構成することもできる。この場合、電子ハイハット１００は、台座ブッシュ１３６および台座本体１３７を省略してトップシンバル１０１が下降した際にこれらの部品に衝突しないように構成することもできる。
【００６４】
なお、上記実施形態においては、反射体１２１は、トップシンバル１０１の最上昇位置においても筒壁部１３５ｂの上端部よりも低い位置に位置して筒壁部１３５ｂの内部に位置するように構成した。すなわち、筒壁部１３５ｂは、光センサ１３２に対して上下方向に相対変位する反射体１２１の変位範囲の全部を含む高さに形成されている。これにより、反射体１２１は、トップシンバル１０１が最上昇位置においても筒壁部１３５ｂに囲まれているため、外乱光の影響を抑えて光センサ１３２から照射された光を反射させることができる。しかし、反射体１２１は、トップシンバル１０１の最上昇位置において筒壁部１３５ｂの上端部よりも高い位置に位置して筒壁部１３５ｂの外に位置するように構成することもできるものである。すなわち、筒壁部１３５ｂは、光センサ１３２に対して上下方向に相対変位する反射体１２１の変位範囲のうちの少なくとも一部を覆う高さに形成することができるものである。
【００６５】
また、上記実施形態においては、電子ハイハット１００は、ボトム台座１３０を備えるとともにこのボトム台座１３０に固定支持体１３１を設けて光センサ１３２を配置するように構成した。しかし、電子ハイハット１００は、光センサ１３２と反射体１２１とが互いに対向配置されていればよい。したがって、電子ハイハット１００は、ボトム台座１３０を省略して構成することもできる。すなわち、電子ハイハット１００は、トップシンバル１０１が下降した際に他の物体に衝突しないように構成することもできる。この場合、電子ハイハット１００は、固定ロッド１１２における支持台１１２ａを固定支持体として光センサ１３２を支持するように構成することができる。
【００６６】
また、上記実施形態においては、トップシンバル１０１およびボトム台座１３０は、上下動ロッド１１１および固定ロッド１１２をそれぞれ回転中心として回転自在な状態で支持されるように構成した。これにより、電子ハイハット１００は、演奏者がアコースティックハイハットにより近い演奏感覚で演奏することができる。しかし、トップシンバル１０１およびボトム台座１３０は、上下動ロッド１１１および固定ロッド１１２に対して回転不能な状態で支持されるように構成することもできる。
【符号の説明】
【００６７】
１００…電子ハイハット、１０１…トップシンバル、１０２…ベース体、１０２ａ…取付孔、１０２ｂ…裏面、１０２ｃ…取付部、１０３…保持プレート、１０４…振動センサ、１０５…パッド、１０６…裏面カバー、１０７…外部接続端子、
１１０…スタンド、１１１…上下動ロッド、１１２…固定ロッド、１１２ａ…支持台、１１３…ペダル、１１４…ベース台、１１４ａ…支持柱、１１５…クラッチ、１１５ａ…ロックネジ、１１６…押圧体、１１７…クラッチナット、
１２０…反射体ホルダ、１２０ａ…胴部、１２０ｂ…保持部、１２１…反射体、
１３０…ボトム台座、１３１…固定支持体、１３２…光センサ、１３２ａ…発光部、１３２ｂ…受光部、１３３…プリント基板、１３４…外部接続端子、１３５…上側ケース、１３５ａ…覆い部、１３５ｂ…筒壁部、１３５ｃ…開口窓、１３６…台座ブッシュ、１３７…台座本体。
【図１】
2018124364.tif 000003
【図２】
2018124364.tif 000004
【図３】
2018124364.tif 000005
【手続補正書】
【提出日】平成29年9月26日(2017.9.26)
【手続補正１】
【補正対象書類名】特許請求の範囲
【補正対象項目名】請求項５
【補正方法】変更
【補正の内容】
【請求項５】
請求項１ないし請求項４のうちのいずれか１つに記載した電子ハイハットにおいて、さらに、
前記光センサの周囲に壁状に起立して囲む筒壁部を備え、
前記筒壁部は、
前記光センサに対して上下方向に相対変位する前記反射体の変位範囲の全部を含む高さに形成されていることを特徴とする電子ハイハット。
【手続補正２】
【補正対象書類名】明細書
【補正対象項目名】００１４
【補正方法】変更
【補正の内容】
【００１４】
また、本発明の他の特徴は、前記電子ハイハットにおいて、さらに、光センサの周囲に壁状に起立して囲む筒壁部を備え、筒壁部は、光センサに対して上下方向に相対変位する反射体の変位範囲の全部を含む高さに形成されていることにある。
【手続補正３】
【補正対象書類名】明細書
【補正対象項目名】００１５
【補正方法】変更
【補正の内容】
【００１５】
このように構成した本発明の他の特徴によれば、電子ハイハットは、筒壁部が光センサに対して上下方向に相対変位する反射体の変位範囲の全部を含む高さに形成されているため、トップシンバルが最上昇位置においても外乱光の影響を抑えて光センサから照射された光を反射させることができる。なお、電子ハイハットは、光センサの周囲に壁状に起立して囲む筒壁部が光センサに対して上下方向に相対変位する反射体の変位範囲のうちの少なくとも一部を覆う高さに形成することができる。これによれば、電子ハイハットは、光センサに外乱光が導かれることを防止できトップシンバルの位置の検出精度を向上させることができる。